(57)【要約】      （修正有）【課題】使用環境に応じた適切なクリーニング条件でクリーニング動作を実施可能な液体噴射装置のクリーニング方法、及び、液体噴射装置を提供する。【解決手段】ノズルから液体を噴射可能な液体噴射ヘッドを備え、ノズルから液体を強制的に排出させるクリーニング動作を設定時間毎に行う液体噴射装置のクリーニング方法であって、クリーニング動作を行う前に、液体噴射ヘッドの各ノズルにおける液体の噴射不良を検査し、検査において液体の噴射不良状態にあると判定された不良ノズルの数、及び、前回のクリーニング動作からの経過時間に応じて、設定時間、又は、クリーニング動作におけるクリーニング強度の少なくとも一方のクリーニング条件を調整し、調整後のクリーニング条件に基づきクリーニング動作を実行する。【選択図】図６
2019006063.tif 000002
【特許請求の範囲】
【請求項１】
ノズルから液体を噴射可能な液体噴射ヘッドを備え、前記ノズルから液体を強制的に排出させるクリーニング動作を設定時間毎に行う液体噴射装置のクリーニング方法であって、
前記クリーニング動作を行う前に、前記液体噴射ヘッドの各ノズルにおける液体の噴射不良を検査し、
前記検査において液体の噴射不良状態にあると判定された不良ノズルの数、及び、前回のクリーニング動作からの経過時間に応じて、前記設定時間、又は、クリーニング動作におけるクリーニング強度の少なくとも一方のクリーニング条件を調整し、
調整後の前記クリーニング条件に基づき前記クリーニング動作を実行することを特徴とする液体噴射装置のクリーニング方法。
【請求項２】
前記クリーニング条件の調整において、前記検査で判定された前記不良ノズルの数が予め設定された基準数以上であり、且つ、前回のクリーニング動作からの経過時間が現在の前記設定時間より短い場合、前記設定時間の短縮、又は、クリーニング動作におけるクリーニング強度の強化の少なくとも一方を行うことを特徴とする請求項１に記載の液体噴射装置のクリーニング方法。
【請求項３】
前記クリーニング条件の調整において、前回のクリーニング動作からの経過時間が現在の設定時間を超えた後に電源が投入され、前記検査で判定された前記不良ノズルの数が予め設定された基準数より少ない場合、前記設定時間の延長、又は、クリーニング動作におけるクリーニング強度の弱化の少なくとも一方を行うことを特徴とする請求項１に記載の液体噴射装置のクリーニング方法。
【請求項４】
前記クリーニング動作の後に、前記液体噴射ヘッドの各ノズルにおける液体の噴射不良を再度検査することを特徴とする請求項１から請求項３の何れか一項に記載の液体噴射装置のクリーニング方法。
【請求項５】
前記クリーニング動作の後の再度の検査において、前記不良ノズルの数が予め設定された基準数以上の場合、クリーニング動作におけるクリーニング強度を強化するように前記クリーニング条件を調整することを特徴とする請求項４に記載の液体噴射装置のクリーニング方法。
【請求項６】
ノズルから液体を噴射可能な液体噴射ヘッドと、
前記ノズルから液体を強制的に排出させるクリーニング動作を設定時間毎に行うように制御する制御部と、
前記液体噴射ヘッドの各ノズルにおける液体の噴射不良を検査する検査機構と、
を備えた液体噴射装置であって、
前記制御部は、前記検査機構の検査において液体の噴射不良状態にあると判定された不良ノズルの数、及び、前回のクリーニング動作からの経過時間に応じて、前記設定時間、又は、クリーニング動作におけるクリーニング強度の少なくとも一方のクリーニング条件を調整し、調整後のクリーニング条件に基づき前記クリーニング動作を実行することを特徴とする液体噴射装置。
【発明の詳細な説明】
【技術分野】
【０００１】
本発明は、ノズルの噴射不良を解消するためクリーニング動作を実行する液体噴射装置のクリーニング方法、及び、液体噴射装置に関するものである。
【背景技術】
【０００２】
液体噴射装置は、液体噴射ヘッドを備え、液体噴射ヘッドのノズル面に開設されたノズルから各種の液体を噴射する装置である。この液体噴射装置としては、例えば、インクジェット式プリンターやインクジェット式プロッター等の画像記録装置があるが、最近ではごく少量の液体を所定位置に正確に着弾させることができるという特長を生かして各種の製造装置にも応用されている。例えば、液晶ディスプレイ等のカラーフィルターを製造するディスプレイ製造装置、有機ＥＬ（Electro Luminescence）ディスプレイやＦＥＤ（面発光ディスプレイ）等の電極を形成する電極形成装置、バイオチップ（生物化学素子）を製造するチップ製造装置に応用されている。そして、画像記録装置用の記録ヘッドでは液状のインクを噴射し、ディスプレイ製造装置用の色材噴射ヘッドではＲ（Red）・Ｇ（Green）・Ｂ（Blue）の各色材の溶液を噴射する。また、電極形成装置用の電極材噴射ヘッドでは液状の電極材料を噴射し、チップ製造装置用の生体有機物噴射ヘッドでは生体有機物の溶液を噴射する。
【０００３】
このような液体噴射装置において、液体流路への気泡の混入により、ノズルから正常にインクを噴射できない場合がある。このような噴射不良を抑制するため、定期的にあるいは所定のタイミングで噴射不良を解消するためのクリーニング動作を行っている。また、予め液体噴射装置に記憶されているＴＣＬテーブルから、前回のクリーニング動作からの経過時間（ＣＬ経過時間）、及び、ノズル面がキャップで封止されていない時間（累積キャップ解放時間）に対応したクリーニング強度を決定し、この決定したクリーニング強度でクリーニング動作を行うものが開示されている（特許文献１参照）。
【先行技術文献】
【特許文献】
【０００４】
【特許文献１】特開２０１２−９６３６７号公報
【発明の概要】
【発明が解決しようとする課題】
【０００５】
しかしながら、実際に液体噴射装置が使用される使用環境（例えば、温度、湿度、使用頻度、使用インク等）が想定された使用環境と異なる場合、クリーニング動作の実施タイミングやクリーニング強度等のクリーニング条件が適切な条件になっていなかった。例えば、使用環境が想定よりも噴射不良が起き易い環境であった場合、クリーニング動作を行うタイミングが遅すぎたり、クリーニング強度が不足したりする虞がある。また、使用環境が想定よりも噴射不良が起き難い環境であった場合、クリーニング動作の頻度やクリーニング強度が過剰になり、無駄にインクが消費される虞がある。
【０００６】
本発明は、このような事情に鑑みてなされたものであり、その目的は使用環境に応じた適切なクリーニング条件でクリーニング動作を実施可能な液体噴射装置のクリーニング方法、及び、液体噴射装置を提供することにある。
【課題を解決するための手段】
【０００７】
本発明の液体噴射装置のクリーニング方法は、上記目的を達成するために提案されたものであり、ノズルから液体を噴射可能な液体噴射ヘッドを備え、前記ノズルから液体を強制的に排出させるクリーニング動作を設定時間毎に行う液体噴射装置のクリーニング方法であって、
前記クリーニング動作を行う前に、前記液体噴射ヘッドの各ノズルにおける液体の噴射不良を検査し、
前記検査において液体の噴射不良状態にあると判定された不良ノズルの数、及び、前回のクリーニング動作からの経過時間に応じて、前記設定時間、又は、クリーニング動作におけるクリーニング強度の少なくとも一方のクリーニング条件を調整し、
調整後の前記クリーニング条件に基づき前記クリーニング動作を実行することを特徴とする。
【０００８】
この構成によれば、液体の噴射不良状態にあると判定された不良ノズルの数、及び、前回のクリーニング動作からの経過時間に応じて、クリーニング条件を調整するため、使用環境に応じた適切なクリーニング条件でクリーニング動作を行うことができる。
【０００９】
上記構成において、前記クリーニング条件の調整において、前記検査で判定された前記不良ノズルの数が予め設定された基準数以上であり、且つ、前回のクリーニング動作からの経過時間が現在の前記設定時間より短い場合、前記設定時間の短縮、又は、クリーニング動作におけるクリーニング強度の強化の少なくとも一方を行うことが望ましい。
【００１０】
この構成によれば、クリーニング動作が不足することによる不良ノズルの増加を抑制できる。その結果、印刷品質の低下を抑制できる。
【００１１】
また、上記構成において、前記クリーニング条件の調整において、前回のクリーニング動作からの経過時間が現在の設定時間を超えた後に電源が投入され、前記検査で判定された前記不良ノズルの数が予め設定された基準数より少ない場合、前記設定時間の延長、又は、クリーニング動作におけるクリーニング強度の弱化の少なくとも一方を行うことが望ましい。
【００１２】
この構成によれば、液体の消費量を抑制することができる。
【００１３】
さらに、上記各構成の何れかにおいて、前記クリーニング動作の後に、前記液体噴射ヘッドの各ノズルにおける液体の噴射不良を再度検査することが望ましい。
【００１４】
この構成によれば、不良ノズルが正常なノズルに回復したか否かを確認できる。
【００１５】
また、上記構成において、前記クリーニング動作の後の再度の検査において、噴射不良であると判定された不良ノズルの数が予め設定された基準数以上の場合、クリーニング動作におけるクリーニング強度を強化するように前記クリーニング条件を調整することが望ましい。
【００１６】
この構成によれば、不良ノズルをより確実に回復させることができる。
【００１７】
そして、本発明の液体噴射装置は、ノズルから液体を噴射可能な液体噴射ヘッドと、
前記ノズルから液体を強制的に排出させるクリーニング動作を設定時間毎に行うように制御する制御部と、
前記液体噴射ヘッドの各ノズルにおける液体の噴射不良を検査する検査機構と、
を備えた液体噴射装置であって、
前記制御部は、前記検査機構の検査において液体の噴射不良状態にあると判定された不良ノズルの数、及び、前回のクリーニング動作からの経過時間に応じて、前記設定時間、又は、クリーニング動作におけるクリーニング強度の少なくとも一方のクリーニング条件を調整し、調整後のクリーニング条件に基づき前記クリーニング動作を実行することを特徴とする。
【００１８】
この構成によれば、液体の噴射不良状態にあると判定された不良ノズルの数、及び、前回のクリーニング動作からの経過時間に応じて、クリーニング条件を調整するため、使用環境に応じた適切なクリーニング条件でクリーニング動作を行うことができる。その結果、液体噴射装置の信頼性を高めることができる。
【図面の簡単な説明】
【００１９】
【図１】プリンターの構成を説明する斜視図である。
【図２】プリンターの構成を説明するブロック図である。
【図３】記録ヘッドの構成を説明する断面図である。
【図４】記録ヘッド本体の構成を説明する断面図である。
【図５】クリーニング動作を説明する模式図である。
【図６】ノズル検査後の流れを説明するフローチャートである。
【図７】第２実施形態におけるノズル検査後の流れを説明するフローチャートである。
【発明を実施するための形態】
【００２０】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、液体噴射装置の一種として、液体噴射ヘッドの一種であるインクジェット式記録ヘッド（以下、記録ヘッド）３が搭載されたインクジェット式プリンター（以下、プリンター）１を例に挙げて説明する。
【００２１】
図１は、プリンター１の斜視図、図２は、プリンター１の電気的な構成を説明するブロック図である。プリンター１は、記録紙等の記録媒体２（着弾対象の一種）の表面に対してインク（液体の一種）を噴射して画像等の記録を行う装置である。このプリンター１は、記録ヘッド３、この記録ヘッド３が取り付けられるキャリッジ４、キャリッジ４を主走査方向に移動させるキャリッジ移動機構５、記録媒体２を副走査方向に移送する搬送機構６等を備えている。ここで、上記のインクは、液体供給源としてのインクカートリッジ７に貯留されている。このインクカートリッジ７は、記録ヘッド３に対して着脱可能に装着される。なお、インクカートリッジがプリンターの本体側に配置され、当該インクカートリッジからインク供給チューブを通じて記録ヘッドに供給される構成を採用することもできる。
【００２２】
上記のキャリッジ移動機構５はタイミングベルト８を備えている。そして、このタイミングベルト８はＤＣモーター等のパルスモーター９により駆動される。したがってパルスモーター９が作動すると、キャリッジ４は、プリンター１に架設されたガイドロッド１０に案内されて、主走査方向（記録媒体２の幅方向）に往復移動する。キャリッジ４の主走査方向の位置は、位置情報検出手段の一種であるリニアエンコーダー２３（図２参照）によって検出される。リニアエンコーダー２３は、その検出信号、即ち、エンコーダーパルス（位置情報の一種）をプリンター１の制御部１７に送信する。
【００２３】
記録媒体２が搬送される領域（又は、印刷領域）に対して主走査方向の一端側（図１中、右側）に外れた位置には、記録ヘッド３の待機位置であるホームポジションが設定されている。このホームポジションには、キャップ１１や当該キャップ１１内の空間を減圧する吸引ポンプ（図示せず）等を備えたキャッピング機構１２、及び、ワイパー１３や当該ワイパー１３を上下方向に移動させる駆動源（図示せず）等を備えたワイピング機構１４が設けられている。キャップ１１は、ホームポジションに待機する記録ヘッド３の下面（ノズル面４０）を封止する、例えば、弾性体からなる部材である。キャッピング機構１２は、記録ヘッド３の下面をキャップ１１で封止した状態で、ポンプによりキャップ１１内の空間を減圧し、ノズル４９から記録ヘッド３内のインクを吸引するクリーニング動作を実行する。なお、クリーニング動作に関しては、後で詳しく説明する。また、ワイパー１３は、ホームポジションに待機する記録ヘッド３の下面を払拭する部材である。本実施形態におけるワイパー１３は、エラストマー等の弾性体からなり、ブレード状に形成されている。なお、ワイパー１３としては、綿、絹等の布からなるシート状の部材を用いることもできる。
【００２４】
次に、プリンター１の電気的な構成について説明する。本実施形態におけるプリンター１は、図２に示すように、プリンターコントローラー１５により各部の制御が行われる。本実施形態におけるプリンターコントローラー１５は、インターフェース（Ｉ／Ｆ）部１６と、制御部１７と、記憶部１８と、駆動信号生成部１９と、を有する。インターフェース部１６は、コンピューターや携帯情報端末機等の外部装置７０から印刷データや印刷命令を受け取ったり、プリンター１の状態情報を外部装置７０側に出力したりする。記憶部１８は、制御部１７のプログラムや各種制御に用いられるデータを記憶する素子であり、ＲＯＭ、ＲＡＭ、ＮＶＲＡＭ（不揮発性記憶素子）を含む。駆動信号生成部１９は、記録媒体２に対してインク滴を噴射して画像等を記録するための駆動パルスを含む駆動信号を発生する。
【００２５】
制御部１７は、記憶部１８に記憶されているプログラムに従って、プリンター１の各部を制御する。例えば、制御部１７は、キャッピング機構１２を制御し、記録ヘッド３のクリーニング動作を制御する。特に、本実施形態においては、クリーニング動作を設定時間毎に行うように制御する。このため、制御部１７は、直近に行ったクリーニングからの経過時間を計るための計測手段を備えている。また、本実施形態における制御部１７は、外部装置７０からの印刷データに基づき、記録動作時に記録ヘッド３のどのノズル４９からどのタイミングでインクを噴射させるかを示す噴射データ等を生成し、これらを記録ヘッド３のヘッド制御部２２に送信する。そして、ヘッド制御部２２は、この制御部１７からの信号に基づき駆動信号中の駆動パルスを選択的に圧電素子５９（図４参照）に印加する。これにより圧電素子５９が駆動されてノズルからインク滴が噴射（吐出）されたり、あるいは、インク滴が噴射されない程度に微振動動作が行われたりする。
【００２６】
また、本実施形態におけるプリンター１は、図２に示すように、キャリッジ移動機構５、搬送機構６、リニアエンコーダー２３、キャッピング機構１２、ワイピング機構１４、ノズル検査機構２１（本発明における検査機構に相当）及び記録ヘッド３等を備えている。上記したように、キャリッジ移動機構５は、タイミングベルト８及びパルスモーター９等からなり、キャリッジ４に搭載された記録ヘッド３を主走査方向に移動させる。また、搬送機構６は、紙送りモーター及び紙送りローラー等（いずれも図示せず）からなり、記録媒体２を副走査方向に移動させる。リニアエンコーダー２３は、キャリッジ４（記録ヘッド３）の走査位置に応じたエンコーダーパルスを、主走査方向における位置情報として制御部１７に出力する。キャッピング機構１２は、キャップ１１によりノズル４９を封止した状態で、ノズル４９からインクを強制的に排出させるクリーニング動作を実行する。ワイピング機構１４は、ワイパー１３により記録ヘッド３のノズル面４０を払拭する払拭動作を実行する。
【００２７】
ノズル検査機構２１は、インクが正常に噴射されない不良ノズルを検出する機構である。このノズル検査機構２１としては、例えば、圧力室５７内のインクに生じる圧力振動（残留振動）に基づく圧電素子５９の逆起電力信号を検出する振動検出回路、及び、逆起電力信号からノズル４９におけるインクの噴射不良を判定する判定回路（何れも図示せず）等からなる。ここで、ノズル４９からインクが正常に噴射されない不良ノズルの場合、圧電素子５９が駆動された後の圧力室５７内のインクに生じる圧力振動が正常時のものと比較して異なる。すなわち、不良ノズルの場合には、振動検出回路により検出される逆起電力信号が正常時のものと比較して異なるため、不良ノズルを検出することができる。ノズル検査機構２１により検査された検査結果は、制御部１７に送信される。そして、制御部１７は、送られてきた検査結果を基に不良ノズルの数をカウントする。なお、振動検出回路又は判定回路の何れか一方、或いは、その両方を制御部１７の一部に含めることもできる。この場合、制御部１７がノズル検査機構２１の一部として機能することになる。また、ノズル検査機構２１としては、上記の構成に限られず、種々の構成を採用することができる。例えば、ノズル面４０と、ノズル面４０と対向する検出面との間に電界を形成し、ノズル４９から検出面に向けてインクが飛翔する際の静電誘導に基づく検出面における電圧値の時間的変化を検出して、不良ノズルを検出する機構を採用することもできる。また、ノズル４９から噴射されるインクを撮影するカメラを備え、カメラにより撮影されたインクの飛翔画像に基づいて不良ノズルを検出する機構を採用することもできる。さらに、実際にテストパターンを記録媒体２等に印刷し、その印刷結果から不良ノズルを検出する機構を採用することもできる。
【００２８】
次に記録ヘッド３の構成について説明する。図３は、本実施形態における記録ヘッド３の構成を説明する模式図である。また、図４は、記録ヘッド３の要部（すなわち、記録ヘッド本体２５）の構成を説明する模式図である。なお、以下の説明では、便宜上、カートリッジ装着部２８側を上方（又は上側）、ノズル面４０側を下方（又は下側）として説明する。また、記録ヘッド本体２５の構成はノズル列方向に直交する方向において概ね左右対称であるため、図４では一方の構成のみを表している。
【００２９】
本実施形態における記録ヘッド３は、図３に示すように、インク導入針２９が複数形成されるホルダー２６、ホルダー２６の下側に取り付けられる流路部材２７、及び、流路部材２７のヘッド収容空間３５内に収容される記録ヘッド本体２５等を備えている。ホルダー２６は、上面側にインクカートリッジ７が着脱可能に取り付けられるカートリッジ装着部２８を有している。カートリッジ装着部２８には、インク導入針２９が複数立設されている。このインク導入針２９は、インクカートリッジ７内に挿入される中空針状の部材であり、インクカートリッジ７内に貯留されたインクをホルダー２６の内部に形成されたホルダー流路３０に導入する。ホルダー流路３０の途中には、ゴミや気泡等の通過を抑制するフィルター室３２が形成されている。フィルター室３２は、ホルダー流路３０よりも断面積が広く形成され、途中にフィルター３１が配置された流路空間である。フィルター３１は、例えば繊維や金属等からなる細い線を網目状に織ったものや、金属平板に複数の穴を設けたもの等が用いられる。
【００３０】
流路部材２７は、回路基板３３を間に挟んで、ホルダー２６の下側に取り付けられた合成樹脂等からなる部材である。この流路部材２７の内部には、ホルダー流路３０と接続される接続流路３４が形成されている。この接続流路３４は、上端部がホルダー流路３０と連通され、下端部が記録ヘッド本体２５の液体導入路４５と連通されている。また、流路部材２７の下方には、下面側から上面側の途中まで凹んだヘッド収容空間３５が設けられている。このヘッド収容空間３５内に、記録ヘッド本体２５が収容されている。なお、流路部材２７とホルダー２６との間に配置される回路基板３３は、ヘッド制御部２２等を有する基板であり、フレキシブル基板３７の一端側が接続されている。また、ヘッド収容空間３５内に収容された記録ヘッド本体２５の下面（具体的には、ノズルプレートの下面）、及び、流路部材２７の下面には、固定板３８が接合されている。この固定板３８は、ノズル４９を露出させる開口３９を有している。なお、本実施形態におけるノズル面４０は、ノズルプレート４８の下面、及び、固定板３８の下面から成る面、すなわち、ノズル４９が形成されるノズルプレート４８の下面のみならず固定板３８の下面も含む概念である。
【００３１】
本実施形態における記録ヘッド本体２５は、図４に示すように、アクチュエーターユニット４１及び流路ユニット４２が積層された状態でヘッドケース４３に取り付けられている。ヘッドケース４３は、合成樹脂製の箱体状部材であり、その内部には流路部材２７の接続流路３４と連通する液体導入路４５が形成されている。この液体導入路４５により、各圧力室５７にインクが供給される。本実施形態においては、２列に並設された圧力室５７の列に対応して液体導入路４５が２つ形成されている。また、ヘッドケース４３の下側（流路ユニット４２側）の部分には、当該ヘッドケース４３の下面（流路ユニット４２側の面）からヘッドケース４３の高さ方向の途中まで直方体状に窪んだ収容空間４４が形成されている。アクチュエーターユニット４１は、この収容空間４４内に収容されている。さらに、収容空間４４の天井面の一部には、ヘッドケース４３の外側の空間と収容空間４４とを連通する挿通開口４６が開設されている。この挿通開口４６を通じてフレキシブル基板３７の他端部が収容空間４４内に挿通され、当該収容空間４４内のアクチュエーターユニット４１に接続される。
【００３２】
流路ユニット４２は、連通基板５１及びノズルプレート４８を有している。ノズルプレート４８は、連通基板５１の下面（圧力室形成基板５６とは反対側の面）に接合されたシリコン製の基板（例えば、シリコン単結晶基板）である。本実施形態では、このノズルプレート４８により、後述する共通液室５２となる空間の下面側の開口が封止されている。また、ノズルプレート４８には、複数のノズル４９が直線状（列状）に開設されている。この複数のノズル４９からなるノズル４９の列（すなわち、ノズル列）は、ノズルプレート４８に２列形成されている。各ノズル列を構成するノズル４９は、一端側のノズル４９から他端側のノズル４９までドット形成密度に対応したピッチで、例えば主走査方向に沿って等間隔に設けられている。なお、ノズルプレートを連通基板における共通液室から内側に外れた領域に接合し、共通液室となる空間の下面側の開口を、例えば可撓性を有するコンプライアンスシート等の部材で封止することもできる。
【００３３】
連通基板５１は、図４に示すように、流路ユニット４２の上部（ヘッドケース４３側の部分）を構成するシリコン製の基板である。この連通基板５１には、液体導入路４５と連通し、各圧力室５７に共通なインクが貯留される共通液室５２と、この共通液室５２を介して液体導入路４５からのインクを各圧力室５７に個別に供給する個別連通路５３と、圧力室５７とノズル４９とを連通するノズル連通路５４とが、異方性エッチング等により形成されている。共通液室５２は、ノズル列方向に沿った長尺な空部であり、２列に並設された圧力室５７の列に対応して２列に形成されている。また、個別連通路５３及びノズル連通路５４は、ノズル列方向に沿って複数形成されている。
【００３４】
アクチュエーターユニット４１は、図４に示すように、圧力室形成基板５６、振動板５８、アクチュエーターの一種である圧電素子５９、及び、封止板６０が積層されてユニット化された状態で、連通基板５１に接合されている。圧力室形成基板５６は、アクチュエーターユニット４１の下部（流路ユニット４２側の部分）を構成するシリコン製の基板（例えば、シリコン単結晶基板）である。この圧力室形成基板５６には、異方性エッチングにより一部が板厚方向に除去されて、圧力室５７となるべき空間がノズル列方向に沿って複数並設されている。この空間は、下方が連通基板５１により区画され、上方が振動板５８により区画されて圧力室５７を構成する。また、この空間、すなわち圧力室５７は、２列に形成されたノズル列に対応して２列に形成されている。各圧力室５７は、ノズル列方向に直交する方向に長尺な空部であり、長手方向の一側の端部に個別連通路５３が連通すると共に、他側の端部にノズル連通路５４が連通する。
【００３５】
振動板５８は、例えば、圧力室形成基板５６の上面に形成された弾性膜と、この弾性膜上に形成された絶縁体膜と、からなる。この振動板５８における各圧力室５７に対応する領域は、撓み変形が許容される駆動領域６２であり、圧電素子５９が積層されている。本実施形態における圧電素子５９は、所謂撓みモードの圧電素子である。この圧電素子５９は、例えば、振動板５８上に、下電極層、圧電体層及び上電極層が順次積層されてなる。この上電極膜又は下電極膜のうち何れか一方が各圧電素子５９に共通に形成された共通電極となり、他方が各圧電素子５９に個別に形成された個別電極となっている。そして、下電極層と上電極層との間に両電極の電位差に応じた電界が付与されると、圧電素子５９はノズル４９から遠ざかる方向あるいは近接する方向に撓み変形する。これにより、圧力室５７の容積が変化し、当該圧力室５７内のインクに圧力変動が生じることになる。そして、この圧力変動を利用することで、記録ヘッド３はノズル４９からインクを噴射する。また、圧力室５７内のインクの圧力変動により圧電素子５９が撓み変形すると、当該変形に応じた逆起電力が発生する。本実施形態におけるノズル検査機構２１は、この逆起電力信号からノズル４９におけるインクの噴射不良を判定する。
【００３６】
封止板６０は、図４に示すように、圧力室形成基板５６の上面（詳しくは、振動板５８の上面）に接合されたシリコン単結晶、金属、又は、合成樹脂等からなる基板である。この封止板６０の下面には、当該封止板６０の下面から封止板６０の板厚方向の途中まで窪んだ圧電素子収容空間６３が形成されている。そして、この圧電素子収容空間６３内に、圧電素子５９の列が収容されている。本実施形態では、２列に形成された圧電素子５９の列に対応して、圧電素子収容空間６３が２列に形成されている。なお、２つの圧電素子収容空間６３の間の部分には、封止板６０が板厚方向に貫通された開口が形成されている。この開口内において、挿通開口４６を通じて挿通されたフレキシブル基板３７の他端の端子と、圧電素子５９から延在された配線の端子とが接続される。
【００３７】
次に、本実施形態におけるプリンター１のクリーニング方法について説明する。図５は、クリーニング動作を説明する模式図である。図６は、ノズル検査後の流れを説明するフローチャートである。記録ヘッド３は、上記したように、インクカートリッジ７とノズル４９との間のインク流路の途中にフィルター３１及びフィルター室３２を有しており、当該フィルター室３２内に気泡等を捕集する構成を有している。しかしながら、図５に示すように、時間の経過に伴ってフィルター室３２に捕集された気泡Ｂが大きく成長すると、当該気泡Ｂによりフィルター３１が塞がれ、インクカートリッジ７からのインクを圧力室５７に供給できなくなる。その結果、複数のノズル４９（例えば、１つのノズル列に含まれるノズル４９のうち２０％〜３０％のノズル）がインクを噴射できない噴射不良状態（以下、多ノズル抜け状態）となる虞がある。このような、不具合を抑制するため、所定の設定時間（例えば、６か月）毎にクリーニング動作（所謂、タイマークリーニング）を行っていた。クリーニング動作は、制御部１７からの信号に応じて、キャッピング機構１２を制御し、ノズル４９からインクを強制的に排出させる動作である。具体的には、図５に示すように、記録ヘッド３のノズル面４０をキャップ１１で封止し、図示しないポンプによりキャップ１１内の空間を減圧することで、ノズル４９から記録ヘッド３内のインクを吸引する。これにより、フィルター室３２内の気泡Ｂがインクと共に吸引され（図５における矢印参照）、多ノズル抜け状態が解消される。すなわち、正常にインクを噴射可能な状態へと回復する。なお、本実施形態におけるクリーニング動作の強度（例えば、吸引時間や吸引力等）は、キャッピング機構１２の制御により段階的に変更することができる。
【００３８】
ここで、上記したクリーニング動作の間隔（すなわち、タイマークリーニング（ＴＣＬ）の設定時間。ＴＣＬ間隔ともいう）は、ある使用環境（例えば、温度、湿度、使用頻度、使用インク等）において、プリンター１を使用した場合に、多ノズル抜け状態となる時間を予測し、この時間よりも短い時間に設定されている。しかしながら、実際に使用される使用環境（例えば、温度、湿度、使用頻度、使用インク等）が、想定していた使用環境と異なる場合、クリーニング動作を行うタイミングが遅すぎ、多ノズル抜け状態が発生したり、過剰なクリーニング動作により、無駄にインクが消費されたりする虞がある。本発明は、このような不具合を抑制するため、多ノズル抜け状態が発生した時間等に応じて、クリーニング動作の間隔（すなわち、ＴＣＬの設定時間）を設定し直すことを特徴とする。
【００３９】
具体的には、図６に示すフローチャートを参照して説明する。まず、クリーニング動作を行う前に、ノズル検査機構２１により各ノズル４９の検査を行い、インクの噴射不良の有無を判定する（ステップＳ１）。なお、ノズル検査機構２１による検査は、クリーニング動作の間隔よりも短い時間間隔で、適宜に実施される。例えば、プリンター１の電源投入後、印刷開始前、又は、インクカートリッジ７を装着した後等において実施される。その他、クリーニング動作の間隔よりも短い所定時間毎に実施しても良い。ノズル４９の検査において検出された不良ノズルの数は、制御部１７に送られカウントされる。そして、制御部１７は、多ノズル抜け状態が発生しているか否かを判定する。具体的には、不良ノズルの数が予め設定された基準数Ｎｔｈ以上か否かを判定する（ステップＳ２）。
【００４０】
不良ノズルの数が予め設定された基準数Ｎｔｈ以上である（すなわち、多ノズル抜け状態が発生している）と判定された場合（ステップＳ２において、ＹＥＳの場合）、前回のクリーニング動作からの経過時間が現在のクリーニング動作の間隔（ＴＣＬの設定時間）以上であるか否かを判定する（ステップＳ３）。そして、前回のクリーニング動作からの経過時間が現在のクリーニング動作の間隔（ＴＣＬの設定時間）以上であると判定された場合（ステップＳ３において、ＹＥＳの場合）、クリーニング条件を変更せずに今回のタイマークリーニング（ＴＣＬ）としてクリーニング動作を実行する（ステップＳ４）。なお、前回のクリーニング動作からの経過時間が現在のクリーニング動作の間隔（ＴＣＬの設定時間）よりも長くなる場合は、例えば、プリンター１の電源が入っていない状態でＴＣＬの設定時間が経過し、その後にプリンター１の電源を投入した場合等が考えられる。一方、ステップＳ３において、前回のクリーニング動作からの経過時間が現在のクリーニング動作の間隔（ＴＣＬの設定時間）よりも短いと判定された場合（ステップＳ３において、ＮＯの場合）、クリーニング動作の間隔（ＴＣＬの設定時間）を前回のクリーニング動作からの経過時間に変更する（ステップＳ７）。すなわち、この場合、想定される使用環境よりも厳しい環境（多ノズル抜け状態が起き易い環境）でプリンター１が使用されていることが予想されるため、クリーニング動作の間隔（ＴＣＬの設定時間）を短縮する。なお、変更されたＴＣＬの設定時間は、記憶部１８に記憶される。その後、今回のタイマークリーニング（ＴＣＬ）としてクリーニング動作を実行する（ステップＳ４）。これにより、次回のタイマークリーニング（ＴＣＬ）となるクリーニング動作は、今回のクリーニング動作の後、新たに設定されたＴＣＬの設定時間（すなわち、短縮されたＴＣＬの設定時間）を経過した時に実行される。なお、ステップＳ７において、クリーニング動作の間隔（ＴＣＬの設定時間）を前回のクリーニング動作からの経過時間よりも短くなるように変更することもできる。
【００４１】
また、不良ノズルの数が予め設定された基準数Ｎｔｈより少ない（すなわち、多ノズル抜け状態が発生していない）と判定された場合（ステップＳ２において、ＮＯの場合）、前回のクリーニング動作からの経過時間が現在のクリーニング動作の間隔（ＴＣＬの設定時間）以上であるか否かを判定する（ステップＳ８）。そして、前回のクリーニング動作からの経過時間が現在のクリーニング動作の間隔（ＴＣＬの設定時間）以上であると判定された場合（ステップＳ８において、ＹＥＳの場合）、クリーニング動作の間隔（ＴＣＬの設定時間）を前回のクリーニング動作からの経過時間に変更する（ステップＳ９）。すなわち、この場合、想定される使用環境よりも厳しくない環境（多ノズル抜け状態が起き難い環境）でプリンター１が使用されていることが予想されるため、クリーニング動作の間隔（ＴＣＬの設定時間）を延長する。なお、前回のクリーニング動作からの経過時間が現在のクリーニング動作の間隔（ＴＣＬの設定時間）と同じ場合は、クリーニング動作の間隔（ＴＣＬの設定時間）は見かけ上変更されない。その後、今回のタイマークリーニング（ＴＣＬ）としてクリーニング動作を実行する（ステップＳ４）。これにより、次回のタイマークリーニング（ＴＣＬ）となるクリーニング動作は、今回のクリーニング動作の後、新たに設定されたＴＣＬの設定時間（すなわち、延長されたＴＣＬの設定時間）を経過した時に実行される。なお、ステップＳ９において、クリーニング動作の間隔（ＴＣＬの設定時間）を前回のクリーニング動作からの経過時間よりも長くなるように変更することもできる。一方、ステップＳ８において、前回のクリーニング動作からの経過時間が現在のクリーニング動作の間隔（ＴＣＬの設定時間）よりも短いと判定された場合（ステップＳ３において、ＮＯの場合）、クリーニング条件を変更せず且つクリーニング動作を行わずに終了する。
【００４２】
ステップＳ４において、クリーニング動作（今回のタイマークリーニング）を実行したならば、このクリーニング動作の効果を確認するため、ノズル検査機構２１により各ノズル４９の検査を再び行う（ステップＳ５）。そして、制御部１７は、多ノズル抜け状態から回復しているか否かを判定する。具体的には、不良ノズルの数が予め設定された基準数Ｎｔｈよりも少ないか否かを判定する（ステップＳ６）。その結果、不良ノズルの数が予め設定された基準数Ｎｔｈよりも少ない（すなわち、多ノズル抜け状態が無い）と判定された場合（ステップＳ６において、ＹＥＳの場合）、クリーニング動作を行わずに終了する。一方、クリーニング動作の後の再度の検査において、不良ノズルの数が予め設定された基準数Ｎｔｈ以上である（すなわち、多ノズル抜け状態が発生している）と判定された場合（ステップＳ６において、ＮＯの場合）、現在のクリーニング動作のクリーニング条件では十分ではないため、クリーニング動作におけるクリーニング強度を１段階上げる。すなわち、現在のクリーニング強度（前回のクリーニング動作におけるクリーニング強度）＋１となるように以降のクリーニング条件を変更して、クリーニング動作を強化する（ステップＳ１０）。その後、今回のタイマークリーニング（ＴＣＬ）としてクリーニング強度を上げた条件でクリーニング動作を再度実行し（ステップＳ４）、各ノズル４９を再度検査する（ステップＳ５）。その結果、不良ノズルの数が予め設定された基準数Ｎｔｈよりも少ないと判定されると、クリーニング動作を行わずに終了する。
【００４３】
このように、不良ノズルの数、及び、前回のクリーニング動作からの経過時間に応じて、クリーニング条件を調整するため、使用環境に応じた適切なクリーニング条件でクリーニング動作を行うことができる。すなわち、不良ノズルの数が予め設定された基準数Ｎｔｈ以上であり、且つ、前回のクリーニング動作からの経過時間が現在のＴＣＬの設定時間より短い場合、ＴＣＬの設定時間の短縮を行うことで、クリーニング動作が不足することによる不良ノズルの増加を抑制できる。その結果、印刷品質の低下を抑制でき、ひいては、プリンター１の信頼性を高めることができる。また、不良ノズルの数が予め設定された基準数Ｎｔｈより少なく、且つ、前回のクリーニング動作からの経過時間が現在のＴＣＬの設定時間より長い場合、すなわち、前回のクリーニング動作からの経過時間が現在のＴＣＬの設定時間を超えた後にプリンター１の電源が投入され、その後のノズルの検査で不良ノズルの数が予め設定された基準数Ｎｔｈより少ないと判定された場合、ＴＣＬの設定時間の延長を行うことで、インクの消費量を抑制することができる。さらに、本実施形態においては、今回のクリーニング動作の後に、噴射不良を再度検査したので、不良ノズルが正常なノズルに回復したか否かを確認できる。そして、この再度の検査において不良ノズルの数が予め設定された基準数以上の場合、クリーニング動作におけるクリーニング強度を強化するようにクリーニング条件を調整するため、不良ノズルをより確実に回復させることができる。
【００４４】
なお、ＴＣＬの設定時間及び前回のクリーニング動作からの経過時間における時間の計測開始タイミングは、適宜に設定できる。例えば、前回のクリーニング動作（タイマークリーニング）の開始時間とこの次のクリーニング動作（タイマークリーニング）の開始時間との間隔をＴＣＬの設定時間としても良いし、前回のクリーニング動作（タイマークリーニング）の終了時間とこの次のクリーニング動作（タイマークリーニング）の開始時間との間隔をＴＣＬの設定時間としても良い。そして、これに合わせて、前回のクリーニング動作からの経過時間の計測を開始すればよい。また、前回のクリーニング動作からの経過時間の計測終了タイミングは、ノズル検査を実行するまでの時間、不良ノズルの数を判定するまでの時間、或いは、今回のクリーニング動作を開始する予定の時間等、適宜に設定できる。さらに、ステップＳ３及びステップＳ８において比較される時間は、ＴＣＬの設定時間の長さに応じて、秒単位、分単位、時間単位、日単位、月単位等、適宜に設定することができる。例えば、ＴＣＬの設定時間を月単位で設定した場合、前回のクリーニング動作からの経過時間等を日単位又は時間単位で計測し、ステップＳ３及びステップＳ８において、この単位で比較する。
【００４５】
また、ノズル検査後の流れは、図６に示すフローに限られない。例えば、図６に示すフローのうち、再度のノズル検査を省略することもできる。すなわち、今回のクリーニング動作（ステップＳ４）の後において、ステップＳ５、ステップＳ６、及び、ステップＳ１０を行わずに終了することもできる。また、ステップＳ１０のみを省略することもできる。例えば、ステップ６において、不良ノズルの数が予め設定された基準数Ｎｔｈ以上である（すなわち、多ノズル抜け状態が発生している）と判定された場合（ステップＳ６において、ＮＯの場合）、クリーニング強度を変えずに、クリーニング動作を再度実行するようにしても良い（ステップＳ４）。
【００４６】
ところで、上記した第１の実施形態においては、不良ノズルの数、及び、前回のクリーニング動作からの経過時間に応じて、ＴＣＬの設定時間を調整するようにしたが、これには限られない。例えば、不良ノズルの数、及び、前回のクリーニング動作からの経過時間に応じて、クリーニング動作におけるクリーニング強度を調整するようにしても良い。具体的には、第２の実施形態として、図７に示すフローチャートを参照して説明する。なお、ノズル４９の検査（ステップＳ１）、不良ノズル数の判定（ステップＳ２）、並びに、前回のクリーニング動作からの経過時間の判定（ステップＳ３及びステップＳ８）に関しては、上記した第１の実施形態と同じであるため、説明を省略する。
【００４７】
図７に示すように、不良ノズルの数が予め設定された基準数Ｎｔｈ以上である（すなわち、多ノズル抜け状態が発生している）と判定された場合（ステップＳ２において、ＹＥＳの場合）であって、前回のクリーニング動作からの経過時間が現在のクリーニング動作の間隔（ＴＣＬの設定時間）よりも短いと判定された場合（ステップＳ３において、ＮＯの場合）、現在のクリーニング強度＋１となるように以降のクリーニング条件を変更する（ステップＳ７′）。すなわち、この場合、想定される使用環境よりも厳しい環境（多ノズル抜け状態が起き易い環境）でプリンター１が使用され、ＴＣＬの設定時間において、ノズル４９の状態が想定される使用環境よりも悪化していることが予想されるため、クリーニング強度を強化する。これにより、不良ノズルが、正常にインクが噴射可能な状態へと回復し易くなる。そして、ステップＳ４において、今回のタイマークリーニング（ＴＣＬ）としてクリーニング強度を強化したクリーニング動作を実行する（ステップＳ４）。一方、不良ノズルの数が予め設定された基準数Ｎｔｈ以上である（すなわち、多ノズル抜け状態が発生している）と判定された場合（ステップＳ２において、ＹＥＳの場合）であって、前回のクリーニング動作からの経過時間が現在のクリーニング動作の間隔（ＴＣＬの設定時間）以上であると判定された場合（ステップＳ３において、ＹＥＳの場合）、上記した第１の実施形態と同じく、クリーニング条件を変更せずに今回のタイマークリーニング（ＴＣＬ）としてクリーニング動作を実行する（ステップＳ４）。
【００４８】
また、不良ノズルの数が予め設定された基準数Ｎｔｈより少ない（すなわち、多ノズル抜け状態が発生していない）と判定された場合（ステップＳ２において、ＮＯの場合）であって、前回のクリーニング動作からの経過時間が現在のクリーニング動作の間隔（ＴＣＬの設定時間）以上であると判定された場合（ステップＳ８において、ＹＥＳの場合）、現在のクリーニング強度−１となるように以降のクリーニング条件を変更する（ステップＳ９′）。すなわち、この場合、想定される使用環境よりも厳しくない環境（多ノズル抜け状態が起き難い環境）でプリンター１が使用され、ＴＣＬの設定時間において、ノズル４９の状態が想定される使用環境よりも悪化していないことが予想されるため、クリーニング強度を弱化する。これにより、インクの消費量を抑制することができる。そして、ステップＳ４において、今回のタイマークリーニング（ＴＣＬ）としてクリーニング強度を弱化したクリーニング動作を実行する（ステップＳ４）。なお、不良ノズルの数が予め設定された基準数Ｎｔｈより少ない（すなわち、多ノズル抜け状態が発生していない）と判定された場合（ステップＳ２において、ＮＯの場合）であって、前回のクリーニング動作からの経過時間が現在のクリーニング動作の間隔（ＴＣＬの設定時間）よりも短いと判定された場合（ステップＳ３において、ＮＯの場合）、上記した第１の実施形態と同じく、クリーニング条件を変更せず且つクリーニング動作を行わずに終了する。また、今回のクリーニング動作（ステップＳ４）以降も、上記した第１の実施形態と同じであるため、説明を省略する。
【００４９】
ところで、上記した各実施形態では、不良ノズルの数、及び、前回のクリーニング動作からの経過時間に応じて、ＴＣＬの設定時間、又は、クリーニング動作におけるクリーニング強度の何れか一方のクリーニング条件を調整したが、これには限られない。不良ノズルの数、及び、前回のクリーニング動作からの経過時間に応じて、ＴＣＬの設定時間と、クリーニング動作におけるクリーニング強度との両方を調整してもよい。例えば、不良ノズルの数が予め設定された基準数Ｎｔｈ以上である（すなわち、多ノズル抜け状態が発生している）と判定された場合（ステップＳ２において、ＹＥＳの場合）であって、前回のクリーニング動作からの経過時間が現在のクリーニング動作の間隔（ＴＣＬの設定時間）よりも短いと判定された場合（ステップＳ３において、ＮＯの場合）、現在のクリーニング条件よりもクリーニング動作の間隔（ＴＣＬの設定時間）を短縮すると共に、クリーニング強度を強化する。また、不良ノズルの数が予め設定された基準数Ｎｔｈより少ない（すなわち、多ノズル抜け状態が発生していない）と判定された場合（ステップＳ２において、ＮＯの場合）であって、前回のクリーニング動作からの経過時間が現在のクリーニング動作の間隔（ＴＣＬの設定時間）以上であると判定された場合（ステップＳ８において、ＹＥＳの場合）、現在のクリーニング条件よりもクリーニング動作の間隔（ＴＣＬの設定時間）を延長すると共に、クリーニング強度を弱化する。
【００５０】
そして、以上においては、液体噴射装置として、液体噴射ヘッドの一種であるインクジェット式記録ヘッド３を備えたインクジェット式プリンター１を例に挙げて説明したが、本発明は、他の液体噴射ヘッドを備えた液体噴射装置にも適用することができる。例えば、液晶ディスプレイ等のカラーフィルターの製造に用いられる色材噴射ヘッドを備えた液体噴射装置、有機ＥＬ（Electro Luminescence）ディスプレイ、ＦＥＤ（面発光ディスプレイ）等の電極形成に用いられる電極材噴射ヘッドを備えた液体噴射装置、バイオチップ（生物化学素子）の製造に用いられる生体有機物噴射ヘッドを備えた液体噴射装置等にも本発明を適用することができる。ディスプレイ製造装置用の色材噴射ヘッドでは液体の一種としてＲ（Red）・Ｇ（Green）・Ｂ（Blue）の各色材の溶液を噴射する。また、電極形成装置用の電極材噴射ヘッドでは液体の一種として液状の電極材料を噴射し、チップ製造装置用の生体有機物噴射ヘッドでは液体の一種として生体有機物の溶液を噴射する。
【符号の説明】
【００５１】
１…プリンター，２…記録媒体，３…記録ヘッド，４…キャリッジ，５…キャリッジ移動機構，６…搬送機構，７…インクカートリッジ，８…タイミングベルト，９…パルスモーター，１０…ガイドロッド，１１…キャップ，１２…キャッピング機構，１３…ワイパー，１４…ワイピング機構，１５…プリンターコントローラー，１６…インターフェース部，１７…制御部，１８…記憶部，１９…駆動信号生成部，２１…ノズル検査機構，２２…ヘッド制御部，２３…リニアエンコーダー，２５…記録ヘッド本体，２６…ホルダー，２７…流路部材，２８…カートリッジ装着部，２９…インク導入針，３０…ホルダー流路，３１…フィルター，３２…フィルター室，３３…回路基板，３４…接続流路，３５…ヘッド収容空間，３７…フレキシブル基板，３８…固定板，３９…開口，４０…ノズル面，４１…アクチュエーターユニット，４２…流路ユニット，４３…ヘッドケース，４４…収容空間，４５…液体導入路，４６…挿通開口，４８…ノズルプレート，４９…ノズル，５１…連通基板，５２…共通液室，５３…個別連通路，５４…ノズル連通路，５６…圧力室形成基板，５７…圧力室，５８…振動板，５９…圧電素子，６０…封止板，６２…駆動領域，６３…圧電素子収容空間，７０…外部装置
【図１】
2019006063.tif 000003
【図２】
2019006063.tif 000004
【図３】
2019006063.tif 000005
【図４】
2019006063.tif 000006
【図５】
2019006063.tif 000007
【図６】
2019006063.tif 000008
【図７】
2019006063.tif 000009